【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
アプリケーションが処理するファイルの印刷指示をユーザーから受け付ける編集画面を表示する処理である表示処理の指示をユーザーから受け付けてかつ前記アプリケーションのライセンスがある場合に前記表示処理を行って、前記表示処理の指示をユーザーから受け付けてかつ前記アプリケーションのライセンスがない場合に前記表示処理を行わない制御をする表示制御手段と、
オブジェクトにドロップされたファイルに基づく前記アプリケーションによる印刷処理である外部処理の指示をユーザーから受け付けた場合に前記アプリケーションのライセンスの有無に関わらず前記外部処理を行う外部制御手段と、を有することを特徴とする情報処理装置。
【請求項２】
前記編集画面は、前記アプリケーションが処理する前記ファイルのプレビューを行う機能か、又は前記アプリケーションが処理する前記ファイルに複数の印刷設定項目を個別に設定する機能か、又は前記アプリケーションが処理する前記ファイルにアノテーションを付与する機能か、又は前記アプリケーションが処理する複数のファイルを結合する機能か、又は前記アプリケーションが処理する前記ファイルのオブジェクトを編集する機能か、又は前記アプリケーションが処理する前記ファイルに基づいてＰＤＦを出力する機能のうち少なくとも一つの機能を提供することを特徴とする請求項１に記載の情報処理装置。
【請求項３】
前記外部制御手段は前記外部処理の指示をユーザーから受け付けたかどうかを前記アプリケーションの引数に基づいて判断することを特徴とする請求項１又は請求項２に記載の情報処理装置。
【請求項４】
前記表示制御手段は、前記外部処理で画像形成装置が適用できない印刷設定の指示をユーザーから受け付けてかつ前記アプリケーションのライセンスがある場合に前記表示処理を行うためのボタンを含むメッセージを表示して、前記外部処理で画像形成装置が適用できない印刷設定の指示をユーザーから受け付けてかつ前記アプリケーションのライセンスがない場合に前記表示処理を行うためのボタンを含まないメッセージを表示することを特徴とする請求項１乃至３のいずれか１項に記載の情報処理装置。
【請求項５】
前記表示制御手段は、複数の印刷設定項目を同時に設定する印刷テンプレートの選択を前記表示処理でユーザーから受け付けて、ユーザーが選択する前記印刷テンプレートを前記外部処理の印刷テンプレートの選択肢として表示して、
前記外部処理では印刷テンプレートの選択肢を一つ以上表示することを特徴とする請求項１乃至４のいずれか１項に記載の情報処理装置。
【請求項６】
アプリケーション起動時の引数が第１の引数であってかつ前記アプリケーションのライセンスがある場合に前記アプリケーションの編集画面を表示して、前記アプリケーション起動時の引数が前記第１の引数であってかつ前記アプリケーションのライセンスがない場合に前記アプリケーションの編集画面を表示しない制御をする表示制御手段と、
前記アプリケーション起動時の引数が第２の引数である場合に前記アプリケーションのライセンスの有無に関わらず前記第２の引数に含まれるファイルを前記アプリケーションによって印刷処理する外部制御手段と、を有することを特徴とする情報処理装置。
【請求項７】
コンピュータに、
アプリケーションが処理するファイルの印刷指示をユーザーから受け付ける編集画面を表示する処理である表示処理の指示をユーザーから受け付けてかつ前記アプリケーションのライセンスがある場合に前記表示処理を行って、前記表示処理の指示をユーザーから受け付けてかつ前記アプリケーションのライセンスがない場合に前記表示処理を行わない制御をする表示制御工程と、
オブジェクトにドロップされたファイルに基づく前記アプリケーションによる印刷処理である外部処理の指示をユーザーから受け付けた場合に前記アプリケーションのライセンスの有無に関わらず前記外部処理を行う外部制御工程と、を実行させることを特徴とするプログラム。
【請求項８】
前記編集画面は、前記アプリケーションが処理する前記ファイルのプレビューを行う機能か、又は前記アプリケーションが処理する前記ファイルに複数の印刷設定項目を個別に設定する機能か、又は前記アプリケーションが処理する前記ファイルにアノテーションを付与する機能か、又は前記アプリケーションが処理する複数のファイルを結合する機能か、又は前記アプリケーションが処理する前記ファイルのオブジェクトを編集する機能か、又は前記アプリケーションが処理する前記ファイルに基づいてＰＤＦを出力する機能のうち少なくとも一つの機能を提供することを特徴とする請求項７に記載のプログラム。
【請求項９】
前記外部制御工程は前記外部処理の指示をユーザーから受け付けたかどうかを前記アプリケーションの引数に基づいて判断することを特徴とする請求項７又は請求項８に記載のプログラム。
【請求項１０】
前記表示制御工程は、前記外部処理で画像形成装置が適用できない印刷設定の指示をユーザーから受け付けてかつ前記アプリケーションのライセンスがある場合に前記表示処理を行うためのボタンを含むメッセージを表示して、前記外部処理で画像形成装置が適用できない印刷設定の指示をユーザーから受け付けてかつ前記アプリケーションのライセンスがない場合に前記表示処理を行うためのボタンを含まないメッセージを表示することを特徴とする請求項７乃至９のいずれか１項に記載のプログラム。
【請求項１１】
前記表示制御工程は、複数の印刷設定項目を同時に設定する印刷テンプレートの選択を前記表示処理でユーザーから受け付けて、ユーザーが選択する前記印刷テンプレートを前記外部処理の印刷テンプレートの選択肢として表示して、
前記外部処理では印刷テンプレートの選択肢を一つ以上表示することを特徴とする請求項７乃至１０のいずれか１項に記載のプログラム。
【請求項１２】
コンピュータに、
アプリケーション起動時の引数が第１の引数であってかつ前記アプリケーションのライセンスがある場合に前記アプリケーションの編集画面を表示して、前記アプリケーション起動時の引数が前記第１の引数であってかつ前記アプリケーションのライセンスがない場合に前記アプリケーションの編集画面を表示しない制御をする表示制御工程と、
前記アプリケーション起動時の引数が第２の引数である場合に前記アプリケーションのライセンスの有無に関わらず前記第２の引数に含まれるファイルを前記アプリケーションによって印刷処理する外部制御工程と、を実行させることを特徴とするプログラム。
【請求項１３】
アプリケーションが処理するファイルの印刷指示をユーザーから受け付ける編集画面を表示する処理である表示処理の指示をユーザーから受け付けてかつ前記アプリケーションのライセンスがある場合に前記表示処理を行って、前記表示処理の指示をユーザーから受け付けてかつ前記アプリケーションのライセンスがない場合に前記表示処理を行わない制御をする表示制御工程と、
オブジェクトにドロップされたファイルに基づく前記アプリケーションによる印刷処理である外部処理の指示をユーザーから受け付けた場合に前記アプリケーションのライセンスの有無に関わらず前記外部処理を行う外部制御工程と、を有することを特徴とする制御方法。
【請求項１４】
アプリケーション起動時の引数が第１の引数であってかつ前記アプリケーションのライセンスがある場合に前記アプリケーションの編集画面を表示して、前記アプリケーション起動時の引数が前記第１の引数であってかつ前記アプリケーションのライセンスがない場合に前記アプリケーションの編集画面を表示しない制御をする表示制御工程と、
前記アプリケーション起動時の引数が第２の引数である場合に前記アプリケーションのライセンスの有無に関わらず前記第２の引数に含まれるファイルを前記アプリケーションによって印刷処理する外部制御工程と、を有することを特徴とする制御方法。
【手続補正２】
【補正対象書類名】明細書
【補正対象項目名】０００９
【補正方法】変更
【補正の内容】
【０００９】
上記の目的を達成するための本発明に係る情報処理装置は、
アプリケーションが処理するファイルの印刷指示をユーザーから受け付ける編集画面を表示する処理である表示処理の指示をユーザーから受け付けてかつ前記アプリケーションのライセンスがある場合に前記表示処理を行って、前記表示処理の指示をユーザーから受け付けてかつ前記アプリケーションのライセンスがない場合に前記表示処理を行わない制御をする表示制御手段と、
オブジェクトにドロップされたファイルに基づく前記アプリケーションによる印刷処理である外部処理の指示をユーザーから受け付けた場合に前記アプリケーションのライセンスの有無に関わらず前記外部処理を行う外部制御手段と、を有することを特徴とする。
【手続補正３】
【補正対象書類名】明細書
【補正対象項目名】００１０
【補正方法】変更
【補正の内容】
【００１０】
上記の目的を達成するための本発明に係る他の情報処理装置は、
アプリケーション起動時の引数が第１の引数であってかつ前記アプリケーションのライセンスがある場合に前記アプリケーションの編集画面を表示して、前記アプリケーション起動時の引数が前記第１の引数であってかつ前記アプリケーションのライセンスがない場合に前記アプリケーションの編集画面を表示しない制御をする表示制御手段と、
前記アプリケーション起動時の引数が第２の引数である場合に前記アプリケーションのライセンスの有無に関わらず前記第２の引数に含まれるファイルを前記アプリケーションによって印刷処理する外部制御手段と、を有することを特徴とする。